(57)【要約】【課題】回転するドラムを利用した製品処理システムを提供する。【解決手段】製品処理システムは、１組の第１の溝１８ａ，１８ｂを有する支持体１６を備える。１組の第１の溝１８ａ，１８ｂは、下向きの開口面を有する。二つの円筒状のドラム２０ａ，２０ｂは、それぞれ対応する第１の溝１８ａ，１８ｂと冷却床１４との間に設けられている。ドラム２０ａ，２０ｂは、回転可能であり、その表面で第１の溝１８ａ，１８ｂの開口面を塞ぐ。ドラム表面には第２の溝２２ａ，２２ｂが形成されている。上流から送られた製品は、第１の溝１８，１８ｂに一時的に保持される。その後、ドラム２０ａ，２０ｂの回転により第２の溝２２ａ，２２ｂが第１の溝１８ａ，１８ｂと半径方向に一致すると、第２の溝２２ａ，２２ｂに製品が預けられる。そして、ドラム回転が継続することで、製品は第２の溝２２ａ，２２ｂから冷却床１４へ出力される。【選択図】図２
2008073769.tif 000002
【特許請求の範囲】
【請求項１】
圧延機から製品を長手方向に受け取り、前記製品を下方の受け取り装置に送る製品処理システムにおいて、
それぞれが下向きの開口面を有するとともに互いに反転して固定された１組の第１の溝を備える支持体と、
前記第１の溝のそれぞれと前記受け取り装置との間に設けられた少なくとも１つの円筒状のドラムであって、軸を中心に回転可能で、対応する第１の溝の開口面を塞ぐとともに第２の溝が形成されたドラム表面を備え、前記第１および第２の溝とドラムの軸が互いに平行関係になるように配置された円筒状のドラムと、
連続する製品を、前記１組の第１の溝の一方と他方とに交互に長手方向に送る移送手段と、
前記ドラムを回転する駆動手段と、
を備え、
前記駆動手段によりドラムが回転することで、送られた製品が、
（ｉ）回転するドラム表面によって前記第１の溝に一時的に保持され、
（ｉｉ）前記第２の溝が回転により移動して前記第１の溝と半径方向に一致して並んで接するときに、前記第１の溝から前記第２の溝に預けられ、
（ｉｉｉ）前記第２の溝が回転により前記受け取り装置の上方の排出位置まで移動したときに、前記第２の溝から前記受け取り装置へ下方に送られる、
ように前記ドラム表面と前記第２の溝が前記第１の溝に対して配置されていることを特徴とする製品処理システム。
【請求項２】
請求項１に記載のシステムにおいて、
前記ドラムの列は、対応する前記第１の溝と前記受け取り装置との間に配置され、
それぞれの列のドラムは、同軸上に配置され、
それぞれの列のドラムの第２の溝は、一列に並び、
前記駆動手段は、それぞれの列のドラムを同時に回転するように動作する、
ことを特徴とするシステム。
【請求項３】
請求項１または２のいずれか１項に記載のシステムにおいて、
前記駆動手段は、前記ドラムを連続的に回転するように動作することを特徴とするシステム。
【請求項４】
請求項１に記載のシステムにおいて、
前記支持体は、さらに、前記第１の溝から前記排出位置に至るまで、前記ドラムを部分的に覆ってドラムを囲むように延びるシュラウドを備えることを特徴とするシステム。
【請求項５】
請求項１に記載のシステムにおいて、
前記駆動手段は、前記ドラムを互いに反対方向に回転することを特徴とするシステム。
【請求項６】
圧延機から細分された製品を長手方向に受け取り、前記製品を下方の受け取り装置に送る製品処理システムにおいて、
それぞれが下向きの開口面を有するとともに互いに反転して固定された１組の第１の溝を備える支持体と、
対応する第１の溝と前記受け取り装置との間に設けられた円筒状のドラムの列であって、各列のドラムは共通の軸を中心に同時に回転可能であり、対応する第１の溝の開口面を塞ぐとともに各列ごとに一列に並ぶ第２の溝が形成されたドラム表面を有し、前記第１の溝と前記一列に並ぶ第２の溝と前記軸が互いに平行関係になるように配置されている円筒状のドラムの列と、
連続する製品を、前記１組の第１の溝の一方と他方とに交互に長手方向に送る移送手段と、
前記それぞれの列のドラムを互いに反対方向に連続的に回転する駆動手段と、
を備え、
前記駆動手段により前記ドラムが回転することで、送られた製品が、
（ｉ）回転するドラム表面によって前記第１の溝に一時的に保持され、
（ｉｉ）前記第２の溝が回転により移動して前記第１の溝と半径方向に一致するように並んで接するときに、前記第１の溝から前記一列に並ぶ第２の溝に預けられ、
（ｉｉｉ）前記第２の溝が回転により前記受け取り装置の上方の排出位置まで移動したときに、前記第２の溝から前記受け取り装置へ下方に送られる、
ように前記ドラム表面と第２の溝が対応する第１の溝に対して配置されていることを特徴とする製品処理システム。
【発明の詳細な説明】
【技術分野】
【０００１】
本発明は、全体として、板や棒などの長尺物を製造する連続した熱間圧延機に関し、特に、圧延機から排出された長尺物の製品を細分された長さで長手方向に受け取り、その一定の長さの製品を、通常は冷却床を備える受け取り装置に送る、改良された製品処理システムに関する。
【背景技術】
【０００２】
例えば下記特許文献１や下記特許文献２などに開示されている既知の製品処理システムにおいては、回転可能なドラムの表面に設けられたガイド溝で、連続する製品を受け取る。ドラムは連続的または断続的に回転し、受け取った製品をドラム下の冷却床に送る。
【０００３】
ドラムを連続的に回転する場合は、連続的に移動するガイド溝に製品を確実に送るために、ドラムの前段に複雑な切り替えシステムや切り替え機構が必要となる。一方、ドラムを断続的に回転する場合は、停止時および開始時におけるシステムの慣性を抑えるための高耐久性の駆動装置や、送入される製品の搬送路に対して適切に並ぶ位置でガイド溝を停止させるための精密な制御装置が必要となる。
【０００４】
【特許文献１】米国特許第３，６２１，６９６号
【特許文献２】米国特許第４，３０７，５９４号
【発明の開示】
【発明が解決しようとする課題】
【０００５】
本発明の目的は、従来技術のシステムに比べてより簡易で調整や制御がより簡単な製品処理システムを提供することである。
【課題を解決するための手段】
【０００６】
本発明による製品処理システムは、それぞれが下向きの開口面を有するとともに互いに反転して固定された１組の第１の溝を有した支持体を備える。また、少なくとも１つの円筒状のドラムが、対応する第１の溝とドラム下の受け取り装置との間に設けられている。ドラムは軸を中心に回転可能であり、ドラム表面が対応する第１の溝の開口面を塞ぐように配置されている。ドラム表面には第２の溝が形成されており、第１の溝、第２の溝、および、ドラムの軸は、互いに平行関係になるように配置されている。連続する製品は、１組の第１の溝を構成する二つの第１の溝の一方と他方とに交互に長手方向に送られる。ドラムは軸を中心に回転するので、送られた製品は順次、（ｉ）回転するドラム表面によって第１の溝に一時的に保持され、（ｉｉ）第２の溝が回転により移動して第１の溝と半径方向に一致するように並んで接するときに、第１の溝から第２の溝に預けられ、（ｉｉｉ）第２の溝が回転によりドラム下の受け取り装置の上方の排出位置まで移動したときに、第２の溝から受け取り装置へ下方に預けられる。
【０００７】
本発明における上述の特徴やその他の特徴、また付随する効果については、添付の図面を参照しながらさらに詳細に説明する。
【発明を実施するための最良の形態】
【０００８】
最初に図１および図２に、圧延機の最後の圧延スタンド１２と通常の排出用冷却床１４を備える受け取り装置との間に設けられた、本発明の一実施形態における製品処理システム１０の全体を示す。
【０００９】
このシステムは、１組の第１の溝１８ａ，１８ｂを定める支持体１６を備える。１組の第１の溝１８ａ，１８ｂは、それぞれ下向きの開口面を有しており、互いに反転した形状となっている。円筒状のドラム２０ａ，２０ｂは、それぞれ対応する第１の溝１８ａ，１８ｂと冷却床１４との間に置かれている。各ドラムは、それぞれの軸Ａ１，Ａ２を中心に回転可能であり、ドラム表面は対応する第１の溝の開口面を塞ぐように配置されている。
【００１０】
各ドラム表面には、少なくとも１つの第２の溝２２a，２２ｂが形成されている。第１の溝１８ａ，１８ｂ、第２の溝２２ａ，２２ｂ、およびドラムの軸Ａ１，Ａ２は、互いに並行関係になるように配置されている。
【００１１】
最後の圧延スタンド１２から排出された板や棒などの長尺物は、切り替え機２４によってせん断機２６に送られ、さらに短く細分される。切り替え機とせん断機は周知の方式で連動する。また、切り替え機とせん断機は、ガイド管２８ａおよびガイド管２８ｂに、交互に、細分された製品を送る。ここで、１組のガイド管２８ａ，２８ｂは、それぞれ対応する第１のガイド溝１８ａ，１８ｂと一直線に並ぶように設けられた送出端を有する。
【００１２】
図１に示すように、複数の第１および第２のドラム２０ａ，２０ｂは、それぞれ対応する第１の溝１８ａ，１８ｂと冷却床との間において、ドラムの軸方向に連続して並んでいる。駆動モータ３０は、それぞれ対応する列のドラムを回転させる。
【００１３】
ドラムは断続的に回転させることもできるが、ドラムを連続的に回転させることが最も好ましく、一方の列のドラムを他方の列のドラムとは反対の方向に回転させる。
【００１４】
図２に示す運転段階では、第１の棒ｂ１がガイド管を経由して第１の溝１８ａに送られている。第１の溝は、ドラム２０ａの回転表面により塞がれている。こうして第１の溝によって第１の棒は一時的に保持され、もう一方の回転する第１の溝２２ｂは、空の第１の溝１８ｂに接近しているので空のままである。ドラム２０ａは反時計回りに回転し、ドラム２０ｂは時計回りに回転する。
【００１５】
図３Ａに示す段階では、第２の溝２２ａが回転により第１の溝１８ａと半径方向に一致するように並んで接し、第１の棒ｂ１が第２の溝に預けられる。また、第２の溝２２ｂが回転により第１の溝１８ｂを通過したところで、第１の溝１８ｂは第２の棒ｂ２を受け取る。
【００１６】
図３Ｂに示す段階では、第１の棒ｂ１を保持している第２の溝２２ａは、回転により第１の溝１８ａと並びがずれ、第１の溝１８ａは再びドラム表面により塞がれて第３の棒ｂ３が送入されている。
【００１７】
図３Ｃに示す段階では、第２の溝２２ａが回転により排出位置まで移動し、第１の棒ｂ１が冷却床１４へ向かうべく下方に送られる。ドラム２０ｂの第２の溝２２ｂは第１の溝１８ｂに接近してきており、その後第２の溝２２ｂは第２の棒ｂ２を受け取り、回転により排出位置まで移動して棒を冷却床に送る。以上の工程が繰り返され、送られてくる製品を連続的に処理する。
【００１８】
好ましくは、支持体１６は、第１の溝１８ａ，１８ｂからそれぞれの排出位置に至るまで、ドラムの周囲を部分的に覆うシュラウド３２ａ，３２ｂを備える。
【００１９】
以上の説明を踏まえ、請求項に定義された発明の概念から逸脱することなく、上記のシステムにさまざまな変更を加えることができることが当業者に理解できる。そのような変更で、発明を限定しない例として、並行関係にある第１の溝を３つ以上用い、同数のドラム列と連動させることができる。冷却床以外の受け取り装置を用いて、それぞれの第２の溝から排出される製品を収集および／または移送することができる。また、ドラム表面に第２の溝を増やすこともできる。
【図面の簡単な説明】
【００２０】
【図１】本発明における製品処理システムの略平面図である。
【図２】図１の２―２の切断線における拡大断面図である。
【図３Ａ】圧延機から受け取った製品の処理を段階的に示す、図２と同様の図である。
【図３Ｂ】圧延機から受け取った製品の処理を段階的に示す、図２と同様の図である。
【図３Ｃ】圧延機から受け取った製品の処理を段階的に示す、図２と同様の図である。
【符号の説明】
【００２１】
１０  製品処理システム、１２  圧延スタンド、１４  冷却床、１６  支持体、１８ａ，１８ｂ，２２ａ，２２ｂ  溝、２０a，２０ｂ  ドラム、２４  切り替え機、２６  せん断機、２８a，２８ｂ  ガイド管、３０  駆動モータ、３２ａ，３２ｂ  シュラウド、Ａ１，Ａ２  軸、ｂ１，ｂ２，ｂ３  棒。
【図１】
2008073769.tif 000003
【図２】
2008073769.tif 000004
【図３Ａ】
2008073769.tif 000005
【図３Ｂ】
2008073769.tif 000006
【図３Ｃ】
2008073769.tif 000007